(57)【要約】【課題】限られた容積の中で放熱部材の温度上昇を抑制することで、ＬＥＤを所要温度以下に保つ構成を備えた照明装置及びその照明装置を装備した画像読取装置を提供する。【解決手段】ＬＥＤが発生した熱を、ＬＥＤが実装されている基板から放熱させる為に、実装基板の両面に第１の放熱板４３と第２の放熱板４７を備え、実装基板と第１の放熱板４３と第２の放熱板４７と、を支持する第２フレーム４０に、第２の放熱板４７、実装基板、第１の放熱板４３の順に重ねて設置され、第１の放熱板４３側に、送風手段が配置され、第２フレーム４０を長尺方向と垂直となる方向から見た時に、第１の放熱板４３の断面の輪郭に対し、第２の放熱板４７の断面の輪郭が突出した領域を持ち、送風手段からの風が、第１の放熱板４３と第２の放熱板４７に積極的に当たる構成とした。【選択図】  図６
2014090281.tif 000002
【特許請求の範囲】
【請求項１】
光源として用いられた少なくとも１つのＬＥＤと、前記光源の放射する光を長尺方向の端部から受光して、主走査方向に光を拡散させる細長い導光部材と、樹脂製のフレームと、前記ＬＥＤの温度上昇を抑制する送風手段と、を備えるライン状照明装置において、
前記ＬＥＤを実装したＬＥＤ基板と、
前記ＬＥＤが発生した熱を、前記ＬＥＤ基板の前記ＬＥＤが実装されている面の反対面側から放熱させる第１の放熱板と、
前記ＬＥＤが発生した熱を、前記ＬＥＤ基板の前記ＬＥＤが実装されている面側から放熱させる第２の放熱板とを備え、
前記導光部材と前記ＬＥＤ基板と前記第１の放熱板と前記第２の放熱板と、を支持する支持部を有する前記フレームに、前記第２の放熱板、前記ＬＥＤ基板、前記第１の放熱板の順に重ねて設置され、
前記第１の放熱板の前記ＬＥＤ基板とは反対の面側に、前記送風手段が配置され、
前記フレームを長尺方向と垂直となる方向から見た時に、前記第１の放熱板の断面の輪郭に対し、前記第２の放熱板の断面の輪郭が突出した領域を持ち、
前記送風手段からの風が、前記第１の放熱板と前記第２の放熱板に当たる事を特徴とするライン状照明装置。
【請求項２】
前記第２の放熱板は、平板形状であり、前記突出した領域が前記ＬＥＤ基板の輪郭の外側で、第１の放熱板の方向に平板を曲げられた形状であることを特徴とする、請求項１に記載のライン状照明装置。
【請求項３】
前記第１の放熱板は、前記ＬＥＤ基板と接触する面に、該面と垂直に板形状の放熱フィンを複数設け、前記第２の放熱板の曲げられた平板の先端が、前記第１の放熱板の放熱フィンの先端よりも長いことを特徴とする、請求項２に記載のライン状照明装置
【請求項４】
前記送風手段は、ファンであり、該ファンで発生した風を前記第１の放熱板と前記第２の放熱板に積極的に当てる為、該ファンの排気口側にダクトを備えたことを特徴とする、請求項１に記載のライン状照明装置。
【請求項５】
前記第２の放熱板は、前記ＬＥＤ基板の輪郭の外側で、前記第１の放熱板の方向に平板を曲げられ、該曲げられた平板の先端が、前記ダクトの排気口側の先端を超えて、前記ファンの方向に延設することを特徴とする、請求項４に記載のライン状照明装置。
【請求項６】
前記第２の放熱板の平板の板厚は、前記ＬＥＤ基板の面と接する前記第１の放熱板の面の板厚より薄いことを特徴とする、請求項１に記載のライン状照明装置。
【請求項７】
前記ＬＥＤ基板の前記ＬＥＤが実装されている面と、前記第２の放熱板と、の間に絶縁部材を備え、当該絶縁部材は、前記フレームを長尺方向と垂直となる方向から見た時に、前記第１の放熱板の断面の輪郭に対し、前記絶縁部材の輪郭が少なくとも同等もしくは小さい事を特徴とする、請求項１に記載のライン状照明装置。
【請求項８】
前記ＬＥＤが発生した熱を、前記ＬＥＤ基板の前記ＬＥＤが実装されている面の反対側から、前記第１の放熱板へ伝える熱伝導部材を備え、当該熱伝導部材は、前記フレームを長尺方向と垂直となる方向から見た時に、前記第１の放熱板の断面の輪郭に対し、前記熱伝導部材の輪郭が、すくなくとも同等もしくは小さい事を特徴とする、請求項１に記載のライン状照明装置。
【請求項９】
請求項１に記載のライン状照明装置と、原稿面を読み取るために原稿からの反射光を所定の方向に導く複数のミラーと、前記複数のミラーにより導かれた反射光を集束するレンズと、前記レンズにより集束された光を光電変換するＣＣＤと、を備えたことを特徴とする画像読取装置。
【発明の詳細な説明】
【技術分野】
【０００１】
本発明は、原稿の両面を読み取る画像読取装置に関し、詳しくは一方面を読み取られた原稿の他方面を読み取るための、照明装置及び読取ユニットを有する原稿搬送装置を備えた画像読取装置に関する。
【背景技術】
【０００２】
原稿面の画像を読み取る画像読取装置では、主走査方向に延びた光源を原稿面に照射し、原稿面からの反射光をＣＣＤ等の読取センサで受光し、光電変換を行い、画像信号を出力させている。この画像読取装置では、従来照明装置として、キセノン管や冷陰極管等の蛍光管が一般的に使用されてきたが、近年、有害化学物質の非含有対応や低消費電力等の市場要求に対応すべく、発光ダイオード（以下ＬＥＤ）を光源として利用した照明装置が普及しつつある。
【０００３】
ＬＥＤは、部品単体としての占有面積が小さい事から、配置やＬＥＤと組み合わせる部品の設計自由度が大きいというメリットがある。しかし別の視点で見ると、ＬＥＤは部品の表面積が少なく、ＬＥＤ単体での放熱能力が低い。加えて、蛍光管は発熱の多くを赤外放射するが、一般的に画像読取装置で使用する疑似白色ＬＥＤは赤外放射がないため、発光面での発熱の割合が大きい。高い輝度を得る為に多くの電流をＬＥＤに投入すると、発熱量も合わせて増大してしまう。ＬＥＤの所定以上の温度上昇は、光量の低下、色度の変化、ＬＥＤ寿命の減衰を引き起こし、最悪はＬＥＤ素子の破壊を招いてしまう。高輝度の発光出力を得ようとした場合、前述した理由によりＬＥＤ単体での放熱に限界がある。これを解決するため、ＬＥＤが実装された基板に熱伝導性と放熱性を兼ね備えた金属製の放熱部材を密着させて、放熱効果を得る手段が一般的に知られている。さらに、より放熱効果を高める為に、ＬＥＤが実装された基板を挟んで両面に放熱部材を備えた画像読取装置が知られている。（例えば、特許文献１参照）。
【先行技術文献】
【特許文献】
【０００４】
【特許文献１】特開２０１０−８７８０９
【発明の概要】
【発明が解決しようとする課題】
【０００５】
しかしながら、従来の発明ではＬＥＤが基板に実装され、熱伝導率の高い金属性の放熱部材で基板の両面を挟み、ＬＥＤで発生した熱を放熱部材に逃がすことで放熱性を得る事ができるが、放熱部材の温度が上昇してしまうと、ＬＥＤから放熱部材への熱の移動能力が低下し、結果としてＬＥＤの温度を十分に抑えることができなくなってしまうという問題がある。
【０００６】
このような場合、放熱部材の放熱性を上げる為に、より大きな面積の放熱部材を用いるという方法があるが、放熱部材を配置する領域確保のため、装置全体の容積が大きくなり、コンパクトな外観を要求される装置では好ましくない。
【０００７】
本発明は、このような従来技術の問題点を解消するべく創出されたもので、その主な目的は、よりコンパクトな領域の中で放熱部材の温度上昇を抑制することで、ＬＥＤを所要温度以下に保つ構成を備えた照明装置及びその照明装置を装備した画像読取装置を提供することにある。
【課題を解決するための手段】
【０００８】
上記課題を解決する為、本発明では光源として用いられた少なくとも１つのＬＥＤと、該ＬＥＤの放射する光を長尺方向の端部から受光して、主走査方向に光を拡散させる細長い導光部材と、樹脂製のフレームと、ＬＥＤの温度上昇を抑制する送風手段と、を備えたライン状照明装置において、ＬＥＤを実装したＬＥＤ基板と、ＬＥＤが発生した熱を、ＬＥＤ基板のＬＥＤが実装されている面の反対面側から放熱させる第１の放熱板と、ＬＥＤが発生した熱を、ＬＥＤ基板のＬＥＤが実装されている面側から放熱させる第２の放熱板とを備え、導光部材とＬＥＤ基板と第１の放熱板と第２の放熱板と、を支持する支持部を有するフレームに、第２の放熱板、ＬＥＤ基板、第１の放熱板の順に重ねて設置され、第１の放熱板のＬＥＤ基板とは反対の面側に、送風手段が配置され、前記フレームを長尺方向と垂直となる方向から見た時に、第１の放熱板の断面の輪郭に対し、第２の放熱板の断面の輪郭が突出した領域を持ち、第２の放熱板の突出した領域を第１の放熱板の方向に曲げる事で、送風手段からの風が、第１の放熱板と第２の放熱板に積極的に当たる構成とした。
【発明の効果】
【０００９】
上述した構成により、ＬＥＤが実装された基板の表裏に設置された２つの放熱板に積極的に風をあてることにより、ＬＥＤが実装された反対面に設置された、主となる第１の放熱板の大きさを拡大させることなく、ＬＥＤを所要温度以下に保つ放熱効果を得る事ができる。また、第１の放熱板と第１の放熱板の方向に曲げられた第２の放熱板の間で、送風手段からの風が囲まれながら進むことにより、２つの放熱板を効率良く放熱することができる。
【図面の簡単な説明】
【００１０】
【図１】本発明に係る画像読取装置本体及び原稿搬送装置の全体構成を示す断面図である。
【図２】本発明に係る第２の読取キャリッジを示す拡大断面図である。
【図３】本発明に係る第２の読取キャリッジの構成を示す分解斜視図である。
【図４】本発明に係る第２の読取キャリッジの主要部の構造を示す拡大斜視図である。
【図５】本発明に係る光源ユニットの主要部の構造を示す分解斜視図である。
【図６】本発明に係る光源ユニットと送風手段の配置を示す拡大斜視図である。
【図７】本発明に係る光源ユニットと送風手段の配置を示す拡大断面図である。
【発明を実施するための形態】
【００１１】
以下、本発明に係わる照明装置を備える画像読取装置を説明する。図１は画像読取装置本体及び原稿搬送装置の全体構成を示す断面図である。
【００１２】
図１に示すように画像読取装置は、画像読取装置本体Ｈと原稿を搬送する原稿搬送装置Ａで構成されており、原稿搬送装置Ａは画像読取装置本体Ｈに図示しないヒンジを介して取り付けられている。なお、前記ヒンジは画像読取装置本体Ｈの上面に対して原稿搬送装置Ａを開閉自在に支持する。
【００１３】
画像読取装置本体Ｈには、原稿搬送装置Ａによってコンタクトガラス１ａ上面を搬送される原稿の片面を読み取る第１の読取部を搭載した第１の読取キャリッジ２が設けられている。また、原稿搬送装置Ａには画像読取装置本体Ｈのコンタクトガラス１ａ上面を通過した原稿の他面を読み取る第２の読取部を搭載した第2の読取キャリッジ３が設けられている。
【００１４】
そして、原稿搬送装置Ａは、画像読取装置本体Ｈの上面を開放するように画像読取装置本体Ｈに対して開閉自在に取り付けられており、画像読取装置本体Ｈのコンタクトガラス１ｂに載置された原稿を第１の読取キャリッジ２を移動させて読み取るように構成されている。
【００１５】
原稿搬送装置Ａには、図１に示すように複数枚の原稿を載置可能な給紙トレイ１０と、読み取られた原稿を収納する排紙トレイ１１が備えられている。給紙トレイ１０は排紙トレイ１１の上方に重なるように配置されており、給紙トレイ１０から排紙トレイ１１に至るＵ字状の原稿搬送経路１２が設けられている。
【００１６】
原稿搬送経路１２は、図１に示すように給紙トレイ１０上の原稿が繰り出される給紙口１２ａからレジストローラ対１６に至る上流側の経路と、レジストローラ対１６から第１のコンタクトガラス１ａを経て搬送ローラ対１８に至る湾曲した中間の経路と、搬送ローラ対１８から排紙ローラ対１９の位置する排紙口１２ｂに至る下流側の経路から構成されている。原稿搬送経路１２は、上下に配置される搬送ガイド部材から形成される。
【００１７】
原稿搬送経路１２には、給紙トレイ１０に載置された原稿に当接してこの原稿を繰り出す為の繰り出しローラ１３と、繰り出された原稿を給紙する給紙ローラ１４と、給紙ローラ１４に圧接して原稿を１枚に分離する分離ローラ１５と、この給紙ローラ１４及び分離ローラ１５により１枚に分離されて給送される原稿の先端を突き当てて整合した後に下流側に送るレジストローラ対１６と、第１のコンタクトガラス１ａの上流側に配置された搬送ローラ対１７と、第１のコンタクトガラス１ａの下流側に配置された搬送ローラ対１８と、搬送ローラ対１８の下流側に配置されて排紙トレイ１１に原稿を排紙する排紙ローラ対１９と、が設けられている。
【００１８】
原稿搬送装置Ａには、第１の読取キャリッジ２に搭載される第１の読取部で読み取られる原稿面とは反対側の原稿面を読み取るための第２の読取部が設けられている。第２の読取部は第２の読取りキャリッジ３に搭載され、第２の読取キャリッジ３はＵ字状の原稿搬送経路１２の内側の領域に配置されている。そして、第２の読取キャリッジ３には、その排紙方向の端部に第３のコンタクトガラス２０が設けられている。第３のコンタクトガラス２０は、搬送ローラ対１８と排紙ローラ対１９との間に配置されて、その一面が原稿搬送経路１２の搬送ガイド部材の一部として機能すると共に、第３のコンタクトガラス２０面を通過する原稿を第２の読取部で読み取るように構成されている。
【００１９】
原稿の両面読取モート゛の際には、上記構成により給紙トレイ１０上の原稿を繰り出しローラ１３で繰り出し、給紙ローラ１４及び分離ローラ１５によって１枚に分離する。そして、１枚に分離された原稿をレジストローラ対１６で整合した後に搬送ローラ対１７にて第１のコンタクトガラス１ａに搬送する。その後、第１のコンタクトガラス１ａを通過した原稿を搬送ローラ対１８にて第３のコンタクトガラス２０に搬送し、排紙ローラ１９で排紙トレイ１１に排紙する。この原稿の搬送過程において、原稿が第１のコンタクトガラス１ａを通過するときに第１の読取部によって原稿の表面が読み取られ、原稿が第３のコンタクトガラス２０を通過するときに第２の読取部によって原稿の裏面が読み取られる。
【００２０】
次に、第２の読取キャリッジ３と、この第２の読取キャリッジ３内の第２の読取部の構成について説明する。図２は、第２の読取キャリッジ３を示す拡大断面図である。第２の読取キャリッジ３は、コンタクトガラス２０を搬送させる原稿に光を照射するためのＬＥＤ４９及び導光部材２２からなるライン状照明装置と、原稿からの反射光を所定の方向に導く複数のミラー２４、２５、２６、２７と、複数のミラー２４、２５、２６、２７により導かれた反射光を集束するレンズ２８と、レンズ２８により集束された光を光電変換するＣＣＤ２９とを備えている。
【００２１】
そして、第３のコンタクトガラス２０を介してライン状照明装置から発せられる光を原稿に照射し、原稿からの反射光を複数のミラー２４、２５、２６、２７で反射させ、レンズ２８で集束し、ＣＣＤ２９により光電変換して原稿画像を読み取る。
【００２２】
第２の読取キャリッジ３は、４つのミラー２４、２５、２６、２７及びレンズ２８、ＣＣＤ２９が設けられた光学ユニット６０とＬＥＤ４９及び導光部材２２からなる光源が設けられたライン状照明装置（以下光源ユニット６１）、第３のコンタクトガラス２０が設けられたガラスユニット６２とで構成されている。図３に示すように、光学ユニット６０、光源ユニット６１、ガラスユニット６２はこの順に連結し、第２の読取キャリッジ３を形成している。
【００２３】
光学ユニット６０は、第２の読取キャリッジ３の外装カバーを兼ねる樹脂形成された断面略Ｌ字状の第１フレーム３０と、原稿搬送方向に対して直交する原稿幅方向に延設して設けられた４つのミラー２４、２５、２６、２７とレンズ２８及びＣＣＤ２９が実装されたＣＣＤ基板３１から構成されている。
【００２４】
光源ユニット６１は、各ミラー２４、２５、２６、２７が取り付けられた第１フレーム３０の内部を覆うように第１フレーム３０に取り付けられる樹脂製の第２フレーム３２と、この第２フレーム３２の一面側に原稿幅方向（主走査方向）に延設される２つの導光部材２２と、この導光部材２２の長尺方向の端部に配置されて導光部材２２に入射される光を放射するチップ上のＬＥＤ４９（図５参照）と、ＬＥＤ４９が実装されるＬＥＤ基板４１（図５参照）と、ＬＥＤ４９が発生した熱を放熱するための第１の放熱板４３（図５参照）と、第２の放熱板４７（図５参照）で構成される。導光部材２２の長尺方向の端部から受光したＬＥＤ４９の光は、導光部材２２内部で反射を繰り返し、原稿面側に照射方向を変える拡散パターンにより、主走査方向に拡散され、細長いライン状の照明装置となる。また、第２フレーム３２に形成された、原稿面で反射した光をミラー２４に入射するためのスリット３２ａには、キャリッジ内の光学部品を保護するための保護ガラス２１が配置されている。
【００２５】
ガラスユニット６２は、樹脂で形成された第３フレーム３４と、この第３フレーム３４に形成される読み取り開口３４ａに取り付けられた第３のコンタクトガラス２０と、で構成されている。
【００２６】
図４は光源ユニット６１のＬＥＤ４９が取り付けられている側の端部を拡大斜視図、図５は光源ユニット６１の光源部の各部品を分解した分解斜視図である。第２フレーム４０は樹脂で形成されており、図４、図５に示すように導光部材２２が取り付けられる凹部４０ａと、この凹部４０ａに取り付けられた２つの導光部材２２の間で原稿の反射光を光学ユニット６０内の第１ミラー２４に導くためのスリット３２ａが形成されている。また、第２フレーム４０の長手方向の側部にはＬＥＤ基板４１が取り付けられるＬＥＤ基板取付部４０ｃが形成され、ＬＥＤ基板取り付け部４０ｃには導光部材２２が貫通する大きな開口４０ｄが形成されている。
【００２７】
ＬＥＤ基板４１は熱伝導性に優れる銅板からなる金属ベース基板であり、半導体（チップ状のＬＥＤなど）が発生する熱を、基板の半導体が実装されている面から反対面に、及び基板の面全体にすばやく移動させることができる。またＬＥＤ基板４１にはＬＥＤ４９の廻りを囲むように配置されたリフレクタ―４２が取り付けられている。このリフレクタ―４２は、ＬＥＤ基板４１と導光部材２２の長尺方向の端部の一面との間に備えられ、ＬＥＤ４９から導光部材２２に入射される光の入射効率を上げている。なお、本実施の形態においては、１つの導光部材２２に対して２つのＬＥＤ４９を用いており、リフレクタ―４２は隣り合う２つのＬＥＤ４９の廻りを取り囲むように配置される。
【００２８】
導光部材２２は、光透過性の高い非晶質のアクリル樹脂からなる。導光部材２２の長尺方向の一端部の２箇所には突出片２２ａが設けられている。導光部材２２の突出片２２ａは、第２フレーム４０におけるＬＥＤ基板取付部４０ｃの開口４０ｄから外側に貫通しており、図４に示すようにリフレクタ―４２と第２フレーム４０の規制部４０ｅが突出片２２ａを挟むことによって、導光部材２２を所定位置に保持するように構成されている。また、導光部材２２の両端側には、導光部材２２が第２フレーム４０の凹部４０ａから抜け出ないようにするためのフィルム部材４６が備えられている。このフィルム部材４６は第２フレーム４０に両面テープなどで取り付けられており、導光部材２２を第２フレーム４０の凹部４０ａ内に保持する。
【００２９】
第１の放熱板４３はＬＥＤ４９及びＬＥＤ基板４１の熱を放熱することによってＬＥＤ４９の温度を下げる。図５に示すように、第１の放熱板４３はＬＥＤ基板４１のＬＥＤ４９ が実装されている反対面側に設置する。本実施の形態では、その性能を向上させるために熱が伝導し易く、なおかつ比熱の高いアルミニウムを材料とし、表面積を拡大するためのフィン形状を有した放熱板を採用している。また、ＬＥＤ基板４１と第１の放熱板４３の間には熱伝導率の高い熱伝導部材４４が備えられている。この熱伝導部材４４は弾性特性を備えており、ＬＥＤ基板４１及び第１の放熱板４３の表面に微小な起伏などがある場合でも、両表面の形状に沿って変形する。これにより、ＬＥＤ基板４１と第１の放熱板４３との間の接触熱抵抗が下がり、ＬＥＤ基板４１の熱を第１の放熱板４３に効率よく伝導することができる。本実施の形態においては、熱伝導性が優れた熱伝導部材４４としてシリコーンポリマーとセラミックスの混合材を用いている。
【００３０】
さらに、第１の放熱板４３に加え、ＬＥＤ４９及びＬＥＤ基板４１の熱を放熱するために、第２の放熱板４３をＬＥＤ基板４１のＬＥＤ４９が実装されている面側に設置する。第２の放熱板４７も放熱性能を向上させるために、第１の放熱板４３と同様にアルミニウムを材料として採用している。ＬＥＤ基板４１のＬＥＤ４９が実装されている面は、ＬＥＤ４９に電流を供給するためのアノード端子、カソード端子と繋がるパターン配線でパターン配線の銅箔がむき出しとなる部分がある。ＬＥＤ基板４１とアルミニウム製の第２の放熱板４７とを絶縁するために、ＬＥＤ基板４１と第２の放熱板４７との間に、絶縁部材４８を設置する。本実施の形態では、絶縁部材４８として絶縁特性を備えたポリエステルフィルムを採用している。
【００３１】
なお、第１の放熱板４３はビス４５によって第２フレーム４０に取り付けられており、第１の放熱板４３と第２フレーム４０との間で熱伝導部材４４、ＬＥＤ基板４１、絶縁部材４８、第２の放熱板４７をこの順番に挟んで構成する。これによって、リフレクタ―４２が導光部材２２の側面及び突出片２２ａに当接し、導光部材２２に対してＬＥＤ４９が位置決めされる。また、弾性を有する熱伝導部材４４には、ＬＥＤ基板４１及び第１の放熱板４３の表面に沿って変形するための適度な押圧力が付与される。
【００３２】
第１の放熱板４３は、熱伝導部材４４と接する面と垂直に、板形状の複数の放熱フィンを備える。放熱フィンの向きに関しては、後述する。
【００３３】
第２の放熱板４７は、第２フレーム４０のＬＥＤ４９が取り付けられている側を視点として見た時、第１の放熱板４３の断面の輪郭に対し、第２の放熱板４７の断面の輪郭は突出した領域を持つ。前記で述べたように、第２の放熱板４７は絶縁部材４８と第２フレーム４０の間に挟まれて配置されるため、絶縁部材４８と第２フレーム４０の配置される面のどちらかと、常に接触する。しかし、第２の放熱板４７の断面の輪郭で突出した領域は、少なくともどちらか一方の面は絶縁部材４８と第２フレーム４０のどちらとも接触しない。さらに、第２の放熱板４７の断面の輪郭で突出した領域の絶縁部材４８と第２フレーム４０のどちらとも接触しない面は、絶縁部材４８と第２フレーム４０以外の他の部品とも接触しない。
【００３４】
本実施例において、第２の放熱板４７の断面の輪郭で突出した領域は、第１の放熱板４３の方向に、第１の放熱板４３の断面の輪郭の外側で曲げられている。さらに、第２の放熱板４７は、第１の放熱板４３の熱伝導部材４４と接する面の板厚より少なくとも薄い平板形状の物を用いる。
【００３５】
図６は光源ユニット６１のＬＥＤ４９が取り付けられている側の端部と、送風手段の配置を示した拡大斜視図である。本実施例においては、読取原稿面の照度として１００，０００ｌｕｘ以上という高い照度を必要とするため、ＬＥＤ４９の順電流として１．５Ａの電流を投入する。前述した通り、導光部材２２に対して２つのＬＥＤ４９を用いる。光源ユニット６１は２対の導光部材２２を用いるので、ＬＥＤ基板４１には４つのＬＥＤ４９が実装される。１個あたりのＬＥＤ４９の順電圧を３．５Ｖとし、ＬＥＤ４９ ４個を直列に接続したとして、２１Ｗの電力をＬＥＤ基板４１上で消費する。ＬＥＤでこれだけ多くの電力を消費する為、発生する熱量は大きく、第２の読取キャリッジ３のＵ字状の原稿搬送経路１２の断面内に納まる放熱板の大きさで、自然冷却の方法ではＬＥＤ４９を所定の温度以下に抑制する事はできない。ＬＥＤの所定以上の温度上昇は、光量の低下、色度の変化、ＬＥＤ寿命の減衰、最悪はＬＥＤ素子の破壊を招いてしまう。
【００３６】
そこで、送風手段を用いた強制冷却を用いて放熱効果を高めている。本実施例においては、送風手段としてファン７０を用いる。ファン７０の吸気口は原稿搬送装置Ａの外装の外側から空気を取り入れるように、原稿搬送装置Ａの外装の近傍位置に配置（不図示）させている。第２の読取キャリッジ３の光源ユニット６１のＬＥＤ４９が取り付けられている側の端部と、ファン７０の間にダクト７１を備えている。ファン７０の排気口から吐き出された風は、ダクト７１内を進み、第１の放熱板４３と第２の放熱板４７に積極的に吹き付けられ、ＬＥＤ４９を所定の温度以下に抑制する。
【００３７】
本実施例において、送風手段からの風は、第１の放熱板４３および第２の放熱板４７、さらに第２の読取キャリッジ３に向かって吹き付けられるが、前述したように第２の読取キャリッジ３内の光学部品を保護するための保護ガラス２１が配置されているため、第２の読取キャリッジ３内に異物が入り込むことはない。
【００３８】
本実施例において、ダクト７１の排気口の先端は、第１の放熱板４３の長尺方向の一端に対し、斜めになる位置に沿設される。第１の放熱板４３に吹き付けられた風は、ダクト７１が設置された第１の放熱板４３の長尺方向の一端から、他端に向けて第１の放熱板４３の面に沿って進む。前述した第１の放熱板４３の放熱フィンの向きは、第１の放熱板４３の長尺方向と平行となるように備える。ダクト７１の排気口から吐き出された風は、第１の放熱板４３の放熱フィンの間を、他の放熱フィンに阻害されることなく吹き抜ける。
【００３９】
図7は光源ユニット６１のＬＥＤ４９が取り付けられている側の端部と、送風手段の配置を、図１に示した画像読取装置本体及び原稿搬送装置の全体構成を示す断面図に対し、直交する方向から示した断面図である。第２の放熱板４７の曲げられた領域の一部は、第１の放熱板４３の放熱フィンの高さを超え、ダクト７１の排気口の外側に沿設される位置まで伸びている。第１の放熱板４３の放熱フィンと第２の放熱板４７の曲げられた領域の間で、空間Ｉが形成される。ダクト７１の排気口から排出された風の一部は、図７に示す第１の放熱板４３の、最上部放熱フィン４３ａの上側に向かって吐き出され、第２の放熱板４７の曲げられた領域の内壁に当たる。その後、内壁に当たって跳ね返った風の一部は、最上部放熱フィン４３ａに向かって進み、更に最上部の放熱フィン４３ａに向かって進む風もある。この繰り返しにより、第１の放熱板４３の、最上部の放熱フィン４３ａと第２の放熱板４７の曲げられた領域とが効率よく冷却される。
【００４０】
また、上述した熱伝導部材４４は、ダクト７１の排気口から排出された風が、第２の放熱板４７の曲げられた領域の内壁に向かう妨げ、及び内壁に当たって跳ね返った風が最上部放熱フィン４３ａに向かって進む妨げとならないように、光源ユニット６１のＬＥＤ４９が取り付けられている側を視点として見た時、第１の放熱板４３の断面の輪郭に対し、熱伝導部材４４の断面の輪郭が少なくとも同等もしくは小さい形状とする。
【００４１】
さらに、上述した絶縁部材４８は、ダクト７１の排気口から排出された風が、第２の放熱板４７の曲げられた領域の内壁に向かう妨げ、及び内壁に当たって跳ね返った風が最上部放熱フィン４３ａに向かって進む妨げとならないように、光源ユニット６１のＬＥＤ４９が取り付けられている側を視点として見た時、第１の放熱板４３の断面の輪郭に対し、絶縁部材４８の断面の輪郭が少なくとも同等もしくは小さい形状とする。
【００４２】
なお、上述した実施の形態では、第２の放熱板４７の突出した領域は第１の放熱板４３の方向に曲がっていなくても良い。第２の放熱板４７の断面の輪郭で突出した領域は、少なくともどちらか一方の面は絶縁部材４８と第２フレーム４０のどちらとも接触しないため、その面に送風手段からの風があたり放熱が行われる。
【００４３】
さらに、上述した実施の形態では、第２の放熱板４７の突出した領域は第１の放熱板４３の方向と反対側に曲がっていても良い。さらに、第２の放熱板４７は、光源ユニット６１のＬＥＤ４９が取り付けられている側を視点として見た時、第１の放熱板４３の断面の輪郭に対し、第２の放熱板４７の断面の輪郭から突出せずに、第１の放熱板４３の方向と反対側に曲がっていても良い。第２の放熱板４７の少なくとも一方の面の少なくともその一部が、他のどの部品とも接触する領域を持たない時、その面に送風手段からの風があたり放熱が行われる。
【００４４】
上述した実施の形態では、第１の放熱板４３はビス４５によって第２フレーム４０に取り付けられており、第１の放熱板４３と第２フレーム４０との間で熱伝導部材４４、ＬＥＤ基板４１、絶縁部材４８、第２の放熱板４７をこの順番に挟んで構成する。よって、第２フレーム４０が支持部材となる。しかしながら、第１の放熱板４３と第２の放熱板４７との間で、熱伝導部材４４、ＬＥＤ基板４１、絶縁部材４８をこの順番に挟んで構成しても良い。この場合、第２の放熱板４７が支持部材となる。さらに、第１の放熱板４３のベース部分の板厚より、第２の放熱板４７の板厚が厚くなっても良い。
【００４５】
発明は上述の実施の形態に限定されるものではなく、実施の形態は本発明の趣旨に基づき種々の変化が可能であり、変形例を本発明の技術範囲から排除しない。
【００４６】
発明は、画像読取装置に関するので産業上の利用可能性を有する。
【符号の説明】
【００４７】
Ａ      原稿搬送装置
Ｈ      画像読取装置本体
３      第２の読取キャリッジ
２１    保護ガラス
２２    導光部材
２２ａ  導光部材突出片
４０    第２フレーム
４０ｃ  ＬＥＤ基板取り付け部
４１    ＬＥＤ基板
４２    リフレクタ―
４３    第１の放熱板
４３ａ  最上部の放熱フィン
４４    熱伝導部材
４５    ビス
４７    第２の放熱板
４８    絶縁部材
４９    ＬＥＤ
６１    光源ユニット  （ライン状照明装置）
７０    ファン
７１    ダクト
【図１】
2014090281.tif 000003
【図２】
2014090281.tif 000004
【図３】
2014090281.tif 000005
【図４】
2014090281.tif 000006
【図５】
2014090281.tif 000007
【図６】
2014090281.tif 000008
【図７】
2014090281.tif 000009